(57)【要約】【課題】ユーザに経済的負担を強いることなく、効率的に、ダウンロードされた配信データを確実にバックアップする。【解決手段】バックアップサーバ装置２００ａが、移動体端末装置３００ａのコンテンツダウンロード要求を中継し、中継段階で自動的にコンテンツのバックアップをおこなうので、移動体端末装置３００ａのユーザがバックアップを意識せずとも、確実にバックアップがおこなわれる。また、コンテンツの誤消去やデータ破損、移動体端末装置３００ａ自体の機種変更があったとしても、移動体端末装置３００ａのユーザは、同一コンテンツを、コンテンツサーバ装置１００ａからではなく、バックアップサーバ装置２００ａから取得可能となり、コンテンツサーバ装置１００ａから同一コンテンツを再ダウンロードする必要がなくなる。【選択図】        図２
2009238016.tif 000002
【特許請求の範囲】
【請求項１】
端末装置からの配信データのダウンロード要求に応じてデータ配信サーバ装置によって前記端末装置へ送信される配信データを、前記データ配信サーバ装置から受信する配信データ受信手段と、
前記配信データ受信手段によって受信された前記配信データを一時記憶する一時記憶手段と、
前記配信データをバックアップ保存する配信データバックアップ保存手段と、
前記端末装置からの前記配信データのバックアップ指示に従って、前記一時記憶手段に一時記憶される前記配信データを、前記一時記憶手段から前記配信データバックアップ保存手段へと移動させるバックアップ処理手段と
を有することを特徴とする配信データバックアップ装置。
【請求項２】
前記端末装置から前記データ配信サーバ装置への配信データのダウンロード要求を受信して前記データ配信サーバ装置へと転送するダウンロード要求転送手段と、
前記配信データ受信手段によって受信された前記配信データを、当該配信データのダウンロード要求元である前記端末装置へと転送する配信データ転送手段と
をさらに有し、
前記配信データ受信手段は、前記ダウンロード要求転送手段によって転送された前記配信データのダウンロード要求に応じて前記データ配信サーバ装置から送信された前記配信データを受信することを特徴とする請求項１に記載の配信データバックアップ装置。
【請求項３】
前記ダウンロード要求転送手段は、前記配信データのダウンロード要求を前記データ配信サーバ装置へと転送するとともに、前記配信データのダウンロード要求に対応するダウンロード要求通知を、前記バックアップ処理手段へ通知することを特徴とする請求項２に記載の配信データバックアップ装置。
【請求項４】
前記配信データ受信手段は、前記端末装置から、前記データ配信サーバ装置へ送信される前記配信データのダウンロード要求とともに、前記配信データのダウンロード要求に対応するダウンロード要求通知を受信して、前記バックアップ処理手段へ通知することを特徴とする請求項１に記載の配信データバックアップ装置。
【請求項５】
前記配信データ受信手段は、前記端末装置からの前記配信データのダウンロード要求に応じた前記データ配信サーバ装置から前記端末装置への送信とは別に、前記データ配信サーバ装置からアップロード送信される前記配信データを受信することを特徴とする請求項４に記載の配信データバックアップ装置。
【請求項６】
前記バックアップ処理手段は、
前記端末装置からの前記配信データの廃棄指示に従って、前記一時記憶手段に一時記憶される前記配信データを、前記一時記憶手段から消去し、
前記端末装置からの前記配信データの削除指示に従って、前記配信データバックアップ保存手段に保存される前記配信データを、前記配信データバックアップ保存手段から消去する
ことを特徴とする請求項１〜５のいずれか一つに記載の配信データバックアップ装置。
【請求項７】
端末装置からの配信データのダウンロード要求に応じてデータ配信サーバ装置によって前記端末装置へ送信される配信データを、前記データ配信サーバ装置から受信する配信データ受信ステップと、
前記配信データ受信ステップによって受信された前記配信データを一時記憶装置に一時記憶させる一時記憶ステップと、
前記配信データを保存記憶装置にバックアップ保存させる配信データバックアップ保存ステップと、
前記端末装置からの前記配信データのバックアップ指示に従って、前記一時記憶ステップよって前記一時記憶装置に一時記憶されている前記配信データを、前記一時記憶装置から配信データバックアップ保存装置へと移動させるバックアップ処理ステップと
を含むことを特徴とする配信データバックアップ方法。
【請求項８】
端末装置からの配信データのダウンロード要求に応じてデータ配信サーバ装置によって前記端末装置へ送信される配信データを、前記データ配信サーバ装置から受信する配信データ受信手順と、
前記配信データ受信手順によって受信された前記配信データを一時記憶装置に一時記憶させる一時記憶手順と、
前記配信データを保存記憶装置にバックアップ保存させる配信データバックアップ保存手順と、
前記端末装置からの前記配信データのバックアップ指示に従って、前記一時記憶手順によって前記一時記憶装置に一時記憶されている前記配信データを、前記一時記憶装置から配信データバックアップ保存装置へと移動させるバックアップ処理手順と
をコンピュータ装置に実行させることを特徴とする配信データバックアッププログラム。
【発明の詳細な説明】
【技術分野】
【０００１】
本発明は、端末装置からの配信データのダウンロード要求に応じてデータ配信サーバ装置によって端末装置へ送信される配信データのバックアップ処理をおこなう配信データバックアップ装置、配信データバックアップ方法および配信データバックアッププログラムに関する。
【背景技術】
【０００２】
従来から、静止画像、動画像などのコンテンツやアプリケーションプログラムなどの配信データを、ネットワークを介して、データ配信サーバ装置から端末装置へダウンロードして利用する、データ配信サービスが提供されている。最近、とりわけ、端末装置の一種である移動体通信端末装置への配信データの配信サービスが普及してきている。
【０００３】
しかし、かかる配信サービスでは、ダウンロードされたデータは、端末装置に保持されるのみであるので、データの消去、破損、端末装置の変更があった場合には、端末装置のユーザは、データ配信サーバ装置から同一の配信データを再ダウンロードしない限り、配信データを利用することができないという不都合があった。
【０００４】
配信データをダウンロードすることは、配信データの購入の一形態であるため、配信データのダウンロードの都度、端末装置のユーザに課金されることとなる。これでは、配信データの再ダウンロードは、ユーザに金銭的な二重負担を強いることとなる。さらには、配信データがデータ配信サーバ装置において削除されていると、ユーザは、当該配信データを二度と利用できないという不都合があった。
【０００５】
そこで、上記のような不都合を解消するため、端末装置にダウンロードした配信データをバックアップするためのバックアップサーバ装置を用意し、ユーザごとに配信データをバックアップする従来技術が知られている。かかる従来技術によれば、例えば、ユーザは、配信データを誤って消去したとしても、バックアップサーバ装置から取得することによって、端末装置において配信データを復活させることができる。
【０００６】
また、データ配信サーバ装置から端末装置へ配信データをダウンロードする際に、ダウンロードのために使用したダウンロード情報を収集して管理する管理サーバ装置を用意する。そして、管理サーバは、端末装置において配信データの再ダウンロードが必要になったとき、当該端末装置を代理して、ダウンロード情報を利用して、データ配信サーバ装置から配信データを再ダウンロードする従来技術が知られている。
【０００７】
【特許文献１】特開２００６−２０３５１２号公報
【特許文献２】特開２００４−２１４２４号公報
【発明の開示】
【発明が解決しようとする課題】
【０００８】
しかしながら、上記従来技術では、以下の問題点があった。すなわち、端末装置のユーザは、ダウンロードした配信データをバックアップするために、あらかじめ、当該配信データを、バックアップサーバ装置へアップロードしておく必要があった。このため、ユーザにとって煩雑かつ非効率であるのみならず、ユーザがアップロードし忘れると、配信データは、バックアップされないこととなり、バックアップサーバ装置の意義が没却されてしまうこととなる。
【０００９】
また、管理サーバ装置が、端末装置を代理して、ダウンロード情報を利用して、データ配信サーバ装置から配信データを再ダウンロードする従来技術は、あくまで、管理サーバ装置が端末装置を代理して、配信データの再ダウンロードをおこなうものである。
【００１０】
再ダウンロードは、再課金される場合があるため、ユーザの経済的負担となる。また、データ配信サーバ装置において、目的とする配信データが削除されていると、再ダウンロードをおこなえない。よって、かかる従来技術では、ダウンロードした配信データを、完全にバックアップするものではなかった。
【００１１】
本発明は、上記問題点（課題）を解消するためになされたものであって、ユーザに経済的負担を強いることなく、効率的に、ダウンロードされた配信データを確実にバックアップすることが可能な配信データバックアップ装置、配信データバックアップ方法および配信データバックアッププログラムを提供することを目的とする。
【課題を解決するための手段】
【００１２】
上述した問題を解決し、目的を達成するため、配信データバックアップ装置、配信データバックアップ方法および配信データバックアッププログラムの一観点において、端末装置からの配信データのダウンロード要求に応じてデータ配信サーバ装置によって端末装置へ送信される配信データを、データ配信サーバ装置から受信し、データ配信サーバ装置から受信した配信データを一時記憶装置に一時記憶させ、端末装置からの配信データのバックアップ指示に従って、一時記憶装置に記憶されている配信データを、一時記憶装置から、配信データをバックアップ保存する配信データバックアップ保存装置へと移動させることを要件とする。
【発明の効果】
【００１３】
開示の配信データバックアップ装置、配信データバックアップ方法および配信データバックアッププログラムによれば、端末装置のユーザが、配信データを、配信データバックアップ保存装置へバックアップ保存する操作を行わずとも、配信データのダウンロードの際に、自動的に配信データバックアップ装置にバックアップ保存されるので、端末装置のユーザが配信データのバックアップを意識せずとも、確実かつ効率的に、配信データのバックアップをおこなうことが可能になるという効果を奏する。
【発明を実施するための最良の形態】
【００１４】
以下に添付図面を参照し、本発明の配信データバックアップ装置、配信データバックアップ方法および配信データバックアッププログラムにかかる実施形態の一例を詳細に説明する。なお、以下に示す実施形態の一例では、端末装置を、携帯電話などの、無線通信で配信データを受信する移動体端末装置とする。
【００１５】
また、端末装置は、基地局から回線交換網に接続されているゲートウェイサーバ（関門装置）を経由して、ネットワークに接続されている配信データバックアップ装置およびデータ配信装置と通信をおこなうものとする。
【００１６】
また、データ配信装置は、静止画像、動画像またはアプリケーションプログラムデータなどのコンテンツを配信するコンテンツサーバ装置であり、開示の配信データバックアップ装置とはネットワークを介して接続されているものとする。
【００１７】
しかし、端末装置は、無線通信をおこなう移動体端末装置であることに限定されず、有線通信をおこなう非移動体端末装置であってもよい。また、配信データバックアップ装置およびデータ配信装置は、別装置であることに限定されず、一体の装置であってもよい。
【００１８】
先ず、図１〜図１１を参照して、第１実施形態の一例について説明する。図１は、第１実施形態の一例にかかるコンテンツ配信システムの構成の概要を示す図である。同図に示すように、第１実施形態の一例にかかるコンテンツ配信システムＳ１において、ネットワークＮに、コンテンツサーバ装置１００ａと、ゲートウェイサーバ装置５００とが接続されている。
【００１９】
また、第１実施形態にかかるバックアップサーバ装置２００ａは、ゲートウェイサーバ装置５００のＤＭＺ（DeMilitarized  Zone、非武装地帯）に配置されている。また、移動体通信システムの基地局サーバ装置４００は、無線通信網Ｒ内にある移動体端末装置３００ａと、無線通信によりパケット通信をおこなう。
【００２０】
基地局サーバ装置４００は、移動体端末装置３００ａからのコンテンツの配信要求パケットを、ゲートウェイサーバ装置５００へと受け渡す。また、基地局サーバ装置４００は、移動体端末装置３００ａからの配信要求パケットに対応するコンテンツデータを、ゲートウェイサーバ装置５００から移動体端末装置３００ａへと送信する。
【００２１】
ゲートウェイサーバ装置５００は、基地局サーバ装置４００を介して、移動体端末装置３００ａからコンテンツサーバ装置１００ａへコンテンツの配信要求パケットを、バックアップサーバ装置２００ａへと送信する。
【００２２】
バックアップサーバ装置２００ａは、移動体端末装置３００ａからコンテンツサーバ装置１００ａへコンテンツの配信要求パケットを受信したならば、コンテンツサーバ装置１００ａに対して、該当コンテンツを自装置へと送信するように要求する。
【００２３】
コンテンツサーバ装置１００ａは、バックアップサーバ装置２００ａから、コンテンツの送信要求を受信したならば、該当コンテンツを、バックアップサーバ装置２００ａへと送信する。バックアップサーバ装置２００ａは、受信したコンテンツを、一時記憶するとともに、コンテンツ配信要求元である移動体端末装置３００ａへと送信する。
【００２４】
移動体端末装置３００ａは、受信したコンテンツを、一時記憶する。そして、移動体端末装置３００ａは、一時記憶しているコンテンツを、不揮発記憶装置などに保存記憶すると、バックアップサーバ装置２００ａに対して、バックアップサーバ装置２００ａ内で一時記憶しているコンテンツを、不揮発記憶装置などに保存記憶するように指示する。
【００２５】
バックアップサーバ装置２００ａは、移動体端末装置３００ａからの指示に従って、一時記憶しているコンテンツを、不揮発記憶装置などに保存記憶する。この処理が、コンテンツのダウンロードに付随して行われるコンテンツのバックアップ処理である。
【００２６】
このように、バックアップサーバ装置２００ａが、移動体端末装置３００ａのコンテンツダウンロード要求を中継し、中継段階で自動的にコンテンツのバックアップをおこなうので、移動体端末装置３００ａのユーザがバックアップを意識せずとも、確実にバックアップがおこなわれる。
【００２７】
また、コンテンツの誤消去やデータ破損、移動体端末装置３００ａ自体の機種変更があったとしても、移動体端末装置３００ａのユーザは、同一コンテンツを、コンテンツサーバ装置１００ａからではなく、バックアップサーバ装置２００ａから取得可能となり、コンテンツサーバ装置１００ａから同一コンテンツを再ダウンロードする必要がなくなる。
【００２８】
次に、第１実施形態の一例にかかるコンテンツ配信システムの構成について説明する。図２は、第１実施形態の一例にかかるコンテンツ配信システムの構成を示すブロック図である。同図に示すように、第１実施形態の一例は、バックアップサーバ装置２００ａおよび移動体端末装置３００ａに特徴があるので、この両者の機能ブロックを詳細に説明する。
【００２９】
なお、以下では、コンテンツサーバ装置１００ａから移動体端末装置３００ａへダウンロードされる「ダウンロードデータ」および「コンテンツデータ」を、単に、「コンテンツ」と呼ぶこととする。
【００３０】
図２を参照すると、バックアップサーバ装置２００ａは、コンテンツサーバ装置１００ａから受信したコンテンツデータを移動体端末装置３００ａへ転送する機能として、ネットワーク向け受信部２０１と、下り受信解析部２０２と、移動体端末装置向け送信部２０３とを有する。
【００３１】
また、バックアップサーバ装置２００ａは、移動体端末装置３００ａから受信したコンテンツ配信要求をコンテンツサーバ装置１００ａへ転送する機能として、移動体端末装置向け受信部２１１と、上り受信解析部２１２と、ネットワーク向け送信部２１３とを有する。
【００３２】
さらに、バックアップサーバ装置２００ａは、コンテンツのバックアップ処理に関連する機能として、バックアップ管理部２２１と、データ管理部２２２と、ユーザ管理部２２３と、コンテンツを一時記憶する一時蓄積用メモリ部２３１と、コンテンツを保存記憶する不揮発記憶装置であるストレージ部２３２とを有する。
【００３３】
一方、移動体端末装置３００ａは、コンテンツサーバ装置１００ａへのコンテンツ配信要求を、バックアップサーバ装置２００ａを介して送信するための機能として、ネットワーク向け送信部３０３を有する。
【００３４】
また、移動体端末装置３００ａは、コンテンツサーバ装置１００ａからのコンテンツを、バックアップサーバ装置２００ａを介して受信する機能として、ネットワーク向け受信部３０１と、受信解析部３０２とを有する。
【００３５】
さらに、移動体端末装置３００ａは、ダウンロードされたコンテンツに関する処理をおこなう機能として、ダウンロード管理部３２１と、データ管理部３２２と、ブラウザ部３２３と、ユーザ第１操作部３２４と、ユーザ第２操作部３２５と、コンテンツを一時記憶する一時蓄積用メモリ部３３１と、コンテンツを保存記憶する不揮発メモリ部３３２とを有する。
【００３６】
先ず、コンテンツ配信（ダウンロード）要求処理に関して、各機能の説明をおこなう。移動体端末装置３００ａのユーザは、コンテンツサーバ装置１００ａから移動体端末装置３００ａにコンテンツをダウンロードする場合に、ユーザ第１操作部３２４の操作によって、ブラウザ部３２３に対してダウンロードを実行するコマンドを投入する。
【００３７】
移動体端末装置３００ａのユーザによる、ダウンロードを実行するコマンド投入に応じて、ブラウザ部３２３は、コンテンツサーバ装置１００ａに対するコンテンツ配信要求メッセージを生成する。そして、ネットワーク向け送信部３０３に対して、コンテンツ配信要求メッセージの送信要求をおこなう。
【００３８】
そして、ネットワーク向け送信部３０３は、ブラウザ部３２３からのコンテンツ配信要求に従い、コンテンツサーバ装置１００ａに対して、コンテンツ配信要求メッセージの送信をおこなう。
【００３９】
移動体端末装置３００ａからのコンテンツ配信要求メッセージは、バックアップサーバ装置２００ａを経由し、コンテンツサーバ装置１００ａに送信される。バックアップサーバ装置２００ａでは、移動体端末装置３００ａからのコンテンツ配信要求メッセージを、移動体端末装置向け受信部２１１で受信し、さらに、上り受信解析部２１２に送信する。
【００４０】
上り受信解析部２１２は、受信したコンテンツ配信要求メッセージを解析し、コンテンツサーバ装置１００ａ向けのコンテンツ配信要求メッセージであれば、ネットワーク向け送信部２１３に、コンテンツサーバ装置１００ａへの当該コンテンツ配信要求の送信要求をおこなう。
【００４１】
そして、ネットワーク向け送信部２１３は、移動体端末装置３００ａからのコンテンツ配信要求メッセージを、コンテンツサーバ装置１００ａに送信する。コンテンツサーバ装置１００ａは、バックアップサーバ装置２００ａを経由した、移動体端末装置３００ａからのコンテンツ配信要求に従い、該当するコンテンツを、移動体端末装置３００ａに向けて送信する。
【００４２】
コンテンツサーバ装置１００ａから送信されたコンテンツは、バックアップサーバ装置２００ａを経由し、移動体端末装置３００ａに送信される。バックアップサーバ装置２００ａは、コンテンツサーバ装置１００ａからのコンテンツを、ネットワーク向け受信部２０１で受信し、受信したコンテンツを下り受信解析部２０２に送信する。
【００４３】
そして、下り受信解析部２０２は、受信したコンテンツを解析し、当該コンテンツの配信要求元である移動体端末装置３００ａ向けのコンテンツであれば、その旨をバックアップ管理部２２１に通知するとともに、移動体端末装置向け送信部２０３に対して、当該コンテンツの送信要求をおこなう。移動体端末装置向け送信部２０３は、下り受信解析部２０２からの送信要求に従い、移動体端末装置３００ａに対して、コンテンツの送信をおこなう。
【００４４】
バックアップサーバ装置２００ａのバックアップ管理部２２１は、データ管理部２２２に対して、移動体端末装置３００ａのユーザ識別子とともに、コンテンツサーバ装置１００ａからのコンテンツを、一時蓄積用メモリ部２３１に蓄積記憶（一時記憶）する要求をおこなう。
【００４５】
データ管理部２２２は、移動体端末装置３００ａのユーザ識別子に基づく当該ユーザの認証要求をユーザ管理部２２３に対しておこなう。ユーザの認証処理の詳細は、後述する。データ管理部２２２は、認証に成功した場合に、一時蓄積用メモリ部２３１に、移動体端末装置３００ａ向けのコンテンツの蓄積記憶をおこなう。
【００４６】
移動体端末装置３００ａでは、コンテンツサーバ装置１００ａおよびバックアップサーバ装置２００ａからのデータを、ネットワーク向け受信部３０１で受信する。そして、受信したデータを、受信解析部３０２に送信する。
【００４７】
受信解析部３０２は、受信したデータを解析する。受信したデータがコンテンツサーバ装置１００ａからのコンテンツであれば、その旨をブラウザ部３２３に通知する。ブラウザ部３２３は、受信データがコンテンツである場合に、データ管理部３２２に対して、一時蓄積用メモリ部３３１への蓄積記憶要求をおこないながら、処理の進行状況を、移動体端末装置３００ａのユーザに通知する。
【００４８】
コンテンツの受信がすべて完了すると、ユーザによるユーザ第２操作部３２５の操作によって、ダウンロード管理部３２１に対して、コンテンツを不揮発メモリ部３３２へ保存記憶する保存記憶要求、または、コンテンツを一時蓄積用メモリ部３３１から廃棄する廃棄要求が入力される。なお、コンテンツの保存記憶要求をおこなうか、廃棄要求をおこなうかは、ユーザによる、ユーザ第２操作部３２５の操作に基づく。
【００４９】
コンテンツを保存記憶する場合は、ユーザは、ユーザ第２操作部３２５の操作によって、ダウンロード管理部３２１に対して、ファイル名を指定した保存記憶要求をおこなう。ダウンロード管理部３２１は、データ管理部３２２に対して、一時蓄積用メモリ部３３１に蓄積記憶されているコンテンツを、指定されたファイル名で、不揮発メモリ部３３２に保存記憶するように要求する。
【００５０】
そして、データ管理部３２２は、一時蓄積用メモリ部３３１からコンテンツを読み出し、不揮発メモリ部３３２に、指定されたファイル名で保存記憶した後に、一時蓄積用メモリ部３３１から、当該コンテンツを消去する。なお、データ管理部３２２は、ダウンロード管理部３２１に対して、不揮発メモリ部３３２に対して、保存記憶が完了した旨を通知する。
【００５１】
データ管理部３２２から、不揮発メモリ部３３２へのコンテンツの保存記憶が完了した旨を通知されたダウンロード管理部３２１は、バックアップサーバ装置２００ａに対する「保存記憶要求メッセージ」を生成する。そして、ダウンロード管理部３２１は、ネットワーク向け送信部３０３に対して、バックアップサーバ装置２００ａへの「保存記憶要求メッセージ」の送信要求をおこなう。
【００５２】
なお、「保存記憶要求メッセージ」には、図３に一例を示すように、「保存記憶要求メッセージ」であることを示す『種別＝0x00000000』が含まれている。また、「保存記憶要求メッセージ」には、データ管理情報として、当該「保存記憶要求メッセージ」の送信元の移動体端末装置３００ａの『ユーザ識別子』と、保存記憶要求する対象であるコンテンツの『コンテンツファイル名』と、当該コンテンツを保存する際の『保存ファイル名』と、当該コンテンツのファイルデータから作成される、コンテンツデータのライセンス管理をおこなうための『ハッシュ値』とが含まれている。
【００５３】
このように、「保存記憶要求メッセージ」に『ハッシュ値』を含めることによって、コンテンツを復元する際に『ハッシュ値』とともにリカバリ可能になるので、リカバリしたコンテンツであっても、移動体端末装置３００ａにおいて、正常に再生することが可能になる。
【００５４】
そして、ネットワーク向け送信部３０３は、ダウンロード管理部３２１からの送信要求に従い、バックアップサーバ装置２００ａに対して、「保存記憶要求メッセージ」の送信をおこなう。
【００５５】
バックアップサーバ装置２００ａは、移動体端末装置３００ａからの「保存記憶要求メッセージ」を、移動体端末装置向け受信部２１１で受信し、上り受信解析部２１２に通知する。上り受信解析部２１２は、受信した「保存記憶要求メッセージ」を解析し、バックアップサーバ装置２００ａ向けの「保存記憶要求メッセージ」であれば、バックアップ管理部２２１に、当該「保存記憶要求メッセージ」の通知をおこなう。
【００５６】
バックアップ管理部２２１では、上り受信解析部２１２から通知された「保存記憶要求メッセージ」を解析し、移動体端末装置３００ａからの「保存記憶要求メッセージ」である場合は、データ管理部２２２に対して、移動体端末装置３００ａのユーザ識別子と、保存記憶対象のコンテンツのファイル名とを指定して、コンテンツの保存記憶要求をおこなう。
【００５７】
そして、データ管理部２２２は、バックアップ管理部２２１から通知されたユーザ識別子で、ユーザ管理部２２３に対して、当該ユーザの認証要求をおこなう。ユーザの認証処理の詳細は、後述する。ユーザ管理部２２３において、当該ユーザの認証に成功した場合に、データ管理部２２２は、一時蓄積用メモリ部２３１からコンテンツを読み出し、指定されたファイル名でストレージ部２３２に保存記憶する。最後に、データ管理部２２２は、一時蓄積用メモリ部２３１から、当該コンテンツを消去する。
【００５８】
なお、データ管理部２２２は、バックアップ管理部２２１に対して、ストレージ部２３２に保存記憶が完了した旨を通知する。データ管理部２２２から、保存記憶が完了した旨を通知されたバックアップ管理部２２１では、移動体端末装置３００ａに対する、「保存記憶応答メッセージ」を生成する。
【００５９】
なお、「保存記憶応答メッセージ」には、図３に一例を示すように、「保存記憶応答メッセージ」であることを示す『種別＝0x00000010』と、バックアップサーバ装置２００ａにおける、当該「保存記憶要求メッセージ」に応じた保存記憶処理の『処理結果』とが含まれている。
【００６０】
そして、移動体端末装置向け送信部２０３に対し、移動体端末装置３００ａへ向けての保存応答メッセージの送信要求をおこなう。移動体端末装置向け送信部２０３では、バックアップ管理部２２１からの保存応答メッセージ送信要求に従い、移動体端末装置３００ａに対して当該メッセージの送信をおこなう。
【００６１】
次に、バックアップサーバ装置２００ａおよび移動体端末装置３００ａに蓄積記憶されているコンテンツの廃棄に関して、各機能の説明をおこなう。ダウンロードされたコンテンツを保存記憶しない場合は、ユーザ第２操作部３２５によって受け付けられた操作に応じて、ダウンロード管理部３２１に対して、廃棄要求をおこなう。
【００６２】
ダウンロード管理部３２１は、データ管理部３２２に対して、一時蓄積用メモリ部３３１に蓄積されたデータを廃棄するように要求する。当該要求に応じて、データ管理部３２２は、一時蓄積用メモリ部３３１から、該当するコンテンツを消去する。
【００６３】
なお、データ管理部３２２は、ダウンロード管理部３２１に対して、一時蓄積用メモリ部３３１において、該当コンテンツの消去が完了した旨を通知する。データ管理部３２２から、コンテンツの消去が完了した旨を通知されたダウンロード管理部３２１は、バックアップサーバ装置２００ａに対する、「廃棄要求メッセージ」を生成する。
【００６４】
なお、「廃棄要求メッセージ」には、図３に一例を示すように、「廃棄要求メッセージ」であることを示す『種別＝0x00000001』と、データ管理情報として、当該「廃棄要求メッセージ」の送信元の移動体端末装置３００ａの『ユーザ識別子』と、廃棄要求する対象であるコンテンツの『コンテンツファイル名』とが含まれている。
【００６５】
そして、ダウンロード管理部３２１は、ネットワーク向け送信部３０３に対して、「廃棄要求メッセージ」を、バックアップサーバ装置２００ａに向けて送信するよう送信要求をおこなう。
【００６６】
この時、「廃棄要求メッセージ」には、移動体端末装置３００ａの「ユーザ識別子」とともに、データ管理情報として、ハッシュ値が含まれる。ネットワーク向け送信部３０３は、ダウンロード管理部３２１からの送信要求に従い、バックアップサーバ装置２００ａに対して、廃棄要求メッセージの送信をおこなう。
【００６７】
バックアップサーバ装置２００ａは、移動体端末装置３００ａからの廃棄要求メッセージを、移動体端末装置向け受信部２１１で受信し、上り受信解析部２１２に送信する。上り受信解析部２１２は、受信した廃棄要求メッセージを解析し、バックアップサーバ装置２００ａ向けの廃棄要求メッセージであれば、その旨をバックアップ管理部２２１に通知をおこなう。
【００６８】
バックアップ管理部２２１は、上り受信解析部２１２から通知された廃棄要求メッセージを解析し、移動体端末装置３００ａからの廃棄要求である場合は、データ管理部２２２に対して、移動体端末装置３００ａのユーザ識別子と、コンテンツのファイル名とを指定して、当該コンテンツの廃棄要求をおこなう。
【００６９】
データ管理部２２２は、バックアップ管理部２２１から通知されたユーザ識別子で、ユーザ管理部２２３に対して、当該廃棄要求元であるユーザの認証要求を行い、認証に成功した場合は、一時蓄積用メモリ部２３１から、該当するコンテンツを消去する。ユーザの認証処理の詳細は、後述する。
【００７０】
なお、データ管理部２２２は、バックアップ管理部２２１に対して、コンテンツの廃棄が完了した旨を、「廃棄応答メッセージ」にて通知する。そして、データ管理部２２２からコンテンツの廃棄が完了した旨を通知されたバックアップ管理部２２１は、移動体端末装置３００ａに対する、「廃棄応答メッセージ」を生成し、移動体端末装置向け送信部２０３に送信要求をおこなう。移動体端末装置向け送信部２０３は、バックアップ管理部２２１からの送信要求に従い、移動体端末装置３００ａに対して、廃棄応答メッセージの送信をおこなう。
【００７１】
なお、「廃棄応答メッセージ」には、図３に一例を示すように、「廃棄応答メッセージ」であることを示す『種別＝0x00000011』と、バックアップサーバ装置２００ａにおける、当該廃棄要求メッセージに応じた廃棄処理の『処理結果』とが含まれている。
【００７２】
次に、バックアップサーバ装置２００ａおよび移動体端末装置３００ａに保存記憶されているコンテンツの削除に関して、各機能の説明をおこなう。ユーザ第２操作部３２５は、受け付けた削除操作に応じて、ダウンロード管理部３２１に対して、コンテンツのファイル名を指定した削除要求をおこなう。この削除要求は、移動体端末装置３００ａからバックアップサーバ装置２００ａへおこなう。
【００７３】
ダウンロード管理部３２１は、データ管理部３２２に対して、不揮発メモリ部３３２に保存記憶されているコンテンツを削除するように要求する。そして、データ管理部３２２は、不揮発メモリ部３３２から、該当するコンテンツを削除する。
【００７４】
なお、データ管理部３２２は、ダウンロード管理部３２１に対して、不揮発メモリ部３３２から該当コンテンツの削除が完了した旨を通知する。そして、データ管理部３２２から、該当コンテンツの削除が完了した旨を通知されたダウンロード管理部３２１は、バックアップサーバ装置２００ａに対して、ストレージ部２３２に保存記憶されている該当コンテンツの「削除要求メッセージ」を生成し、ネットワーク向け送信部３０３に対して、当該「削除要求メッセージ」の送信要求をおこなう。
【００７５】
なお、「削除要求メッセージ」には、図３に一例を示すように、「削除要求メッセージ」であることを示す『種別＝0x00000002』と、データ管理情報として、当該「削除要求メッセージ」の送信元の移動体端末装置３００ａの『ユーザ識別子』と、削除要求する対象であるコンテンツの『コンテンツファイル名』とが含まれている。
【００７６】
ネットワーク向け送信部３０３は、ダウンロード管理部３２１からの送信要求に従い、バックアップサーバ装置２００ａに対して、コンテンツの削除要求メッセージの送信をおこなう。
【００７７】
バックアップサーバ装置２００ａは、移動体端末装置３００ａからの削除応答メッセージを、移動体端末装置向け受信部２１１で受信し、上り受信解析部２１２に通知する。
【００７８】
上り受信解析部２１２は、受信した削除応答メッセージを解析し、バックアップサーバ装置２００ａ向けのメッセージであれば、バックアップ管理部２２１に通知をおこなう。
【００７９】
バックアップ管理部２２１は、上り受信解析部２１２から通知されたメッセージを解析し、移動体端末装置３００ａからの削除要求メッセージである場合は、データ管理部２２２に対して、移動体端末装置３００ａのユーザ識別子と、コンテンツのファイル名とを指定し、該当コンテンツの削除要求をおこなう。
【００８０】
データ管理部２２２は、バックアップ管理部２２１から通知されたユーザ識別子で、ユーザ管理部２２３に対して認証要求をおこなう。ユーザの認証処理の詳細は、後述する。認証に成功した場合は、データ管理部２２２は、ストレージ部２３２から該当コンテンツを削除する。なお、データ管理部２２２は、バックアップ管理部２２１に対して、削除が完了した旨を通知する。
【００８１】
データ管理部２２２から、該当コンテンツの削除が完了した旨を通知されたバックアップ管理部２２１は、移動体端末装置３００ａに対する「削除応答メッセージ」を生成し、移動体端末装置向け送信部２０３に、「削除応答メッセージ」の送信要求をおこなう。移動体端末装置向け送信部２０３は、バックアップ管理部２２１からの送信要求に従い、移動体端末装置３００ａに対して、削除応答メッセージの送信をおこなう。
【００８２】
なお、「削除応答メッセージ」には、図３に一例を示すように、「削除応答メッセージ」であることを示す『種別＝0x00000012』と、バックアップサーバ装置２００ａにおける、当該削除要求メッセージに応じた削除処理の『処理結果』とが含まれている。
【００８３】
次に、バックアップサーバ装置２００ａに保存記憶されているコンテンツを、リカバリのために移動体端末装置３００ａへと送信するリカバリ処理に関して、各機能の説明をおこなう。ユーザ第２操作部３２５は、受け付けたリカバリ操作に応じて、ダウンロード管理部３２１に対して、コンテンツのファイル名を指定したリカバリ要求をおこなう。このリカバリ要求は、移動体端末装置３００ａからバックアップサーバ装置２００ａへおこなわれる。
【００８４】
すなわち、ダウンロード管理部３２１は、バックアップサーバ装置２００ａのストレージ部２３２に保存記憶されている該当コンテンツの「リカバリデータ配信要求メッセージ」を生成し、ネットワーク向け送信部３０３に対して、バックアップサーバ装置２００ａへの当該「リカバリデータ配信要求メッセージ」の送信要求をおこなう。
【００８５】
リカバリデータ配信要求の際には、移動体端末装置３００ａは、バックアップサーバ装置２００ａへ、先ず、リカバリ要求する「リカバリデータ配信要求メッセージ（初回要求用）」を送信する。
【００８６】
この「リカバリデータ配信要求メッセージ（初回要求用）」に応答して、バックアップサーバ装置２００ａから移動体端末装置３００ａへ、「リカバリデータ配信要求メッセージ（初回要求用）」に記載される「バックアップ済みコンテンツファイル名」に対応する「リカバリコンテンツファイルデータ」が送信される。
【００８７】
しかし、リカバリが要求されるコンテンツ数は複数であり、データ量が多いことが一般的である。リカバリデータ量が多い場合は、移動体端末装置３００ａは、１回の「リカバリデータ配信要求メッセージ（初回要求用）」では、バックアップサーバ装置２００ａから送信されてくる全リカバリデータを受信しきらない場合がある。
【００８８】
そのため、全リカバリデータの受信が完了しなかった場合に、残りのリカバリデータの継続送信を要求することとなる。リカバリデータの継続送信要求は、「リカバリデータ配信要求メッセージ（継続要求用）」が送信されることによっておこなわれる。
【００８９】
なお、「リカバリデータ配信要求メッセージ（初回要求用）」には、図３に一例を示すように、「リカバリデータ配信要求メッセージ（初回要求用）」であることを示す『種別＝0x00000003』が含まれている。また、「リカバリデータ配信要求メッセージ（初回要求用）」には、データ管理情報として、当該「リカバリデータ配信要求メッセージ（初回要求用）」の送信元の移動体端末装置３００ａの『ユーザ識別子』と、リカバリデータ配信要求する対象であるコンテンツの『リカバリコンテンツファイル数』と、リカバリデータ配信要求する対象であるコンテンツの『バックアップ済みコンテンツファイル名』とが含まれている。
【００９０】
そして、ネットワーク向け送信部３０３は、ダウンロード管理部３２１からの送信要求に従い、バックアップサーバ装置２００ａに対して、「リカバリデータ配信要求メッセージ（初回要求用）」の送信をおこなう。
【００９１】
バックアップサーバ装置２００ａは、移動体端末装置３００ａからの「リカバリデータ配信要求メッセージ（初回要求用）」を、移動体端末装置向け受信部２１１で受信し、上り受信解析部２１２に通知する。上り受信解析部２１２は、受信した「リカバリデータ配信要求メッセージ（初回要求用）」を解析し、バックアップサーバ装置２００ａ向けの「リカバリデータ配信要求メッセージ（初回要求用）」であれば、バックアップ管理部２２１に、当該「リカバリデータ配信要求メッセージ（初回要求用）」の通知をおこなう。
【００９２】
バックアップ管理部２２１では、上り受信解析部２１２から通知された「リカバリデータ配信要求メッセージ（初回要求用）」を解析し、移動体端末装置３００ａからの「リカバリデータ配信要求メッセージ（初回要求用）」である場合は、データ管理部２２２に対して、移動体端末装置３００ａのユーザ識別子と、「リカバリデータ配信要求メッセージ（初回要求用）」に第１番目に記載されるリカバリデータ配信対象のコンテンツのファイル名とを指定して、コンテンツの読み出し要求をおこなう。
【００９３】
そして、データ管理部２２２は、バックアップ管理部２２１から通知されたユーザ識別子で、ユーザ管理部２２３に対して、当該ユーザの認証要求をおこなう。ユーザの認証処理の詳細は、後述する。ユーザ管理部２２３において、当該ユーザの認証に成功した場合に、データ管理部２２２は、ストレージ部２３２から該当コンテンツを読み出し、バックアップ管理部２２１に対して、当該リカバリデータ配信の要求元である移動体端末装置３００ａへ送信するように要求する。
【００９４】
データ管理部２２２から、当該リカバリデータ配信の要求元である移動体端末装置３００ａへ送信するように、該当コンテンツのデータを渡されたバックアップ管理部２２１は、移動体端末装置３００ａに対する、「リカバリデータ配信応答メッセージ」を生成する。
【００９５】
なお、「リカバリデータ配信応答メッセージ（初回要求用）」には、図３に一例を示すように、「リカバリデータ配信応答メッセージ（初回要求用）」であることを示す『種別＝0x00000013』と、リカバリ対象コンテンツのファイル名である『リカバリ対象コンテンツファイル名』と、当該『リカバリ対象コンテンツファイル名』で特定されるリカバリ対象コンテンツの『ハッシュ値』と、初回の要求への応答であることを示す『シーケンス番号＝１』と、当該『リカバリ対象コンテンツファイル名』に対応する「リカバリ対象コンテンツファイル」のファイルサイズを示す『リカバリ対象コンテンツファイルサイズ』と、当該「リカバリ対象コンテンツファイル」の『リカバリ対象コンテンツファイルデータ』とが含まれている。
【００９６】
以上、「リカバリデータ配信要求メッセージ（初回要求用）」に記載されるリカバリ対象コンテンツのリカバリデータ配信に関する処理機能を説明した。「リカバリデータ配信要求メッセージ（初回要求用）」で、全リカバリデータの受信が完了しなかった場合に、「リカバリデータ配信要求メッセージ（継続要求用）」にて、移動体端末装置３００ａからバックアップサーバ装置２００ａに、リカバリデータの再送が要求される。この要求に応答して、バックアップサーバ装置２００ａから移動体端末装置３００ａへ、要求されたリカバリデータ配信対象のコンテンツが送信される。
【００９７】
「リカバリデータ配信要求メッセージ（継続要求用）」には、図３に一例を示すように、「リカバリデータ配信要求メッセージ（継続要求用）」であることを示す『種別＝0x00000004』と、移動体端末装置３００ａの使用者を識別するための識別情報である『ユーザ識別子』と、再送要求回数を示す『シーケンス番号』とが含まれている。移動体端末装置３００ａは、「リカバリデータ配信要求メッセージ（継続要求用）」をおこなうごとに『シーケンス番号』に“１”を加算する。『シーケンス番号』が、ある制限値を超えるまで、リカバリデータ配信要求および応答が繰り返されることとなる。
【００９８】
移動体端末装置３００ａからの要求に応じて、バックアップサーバ装置２００ａから移動体端末装置３００ａへ送信される「リカバリデータ配信応答メッセージ（継続要求用）」には、図３に一例を示すように、「リカバリデータ配信応答メッセージ（継続要求用）」であることを示す『種別＝0x00000014』と、リカバリ対象コンテンツのファイル名である『リカバリ対象コンテンツファイル名』と、当該『リカバリ対象コンテンツファイル名』で特定されるリカバリ対象コンテンツの『ハッシュ値』と、ｎ（ｎ≧２）回の要求への応答であることを示す『シーケンス番号＝ｎ』と、当該『リカバリ対象コンテンツファイル名』に対応する「リカバリ対象コンテンツファイル」のファイルサイズを示す『リカバリ対象コンテンツファイルサイズ』と、当該「リカバリ対象コンテンツファイル」の『リカバリ対象コンテンツファイルデータ』とが含まれている。
【００９９】
次に、第１実施形態の一例にかかるコンテンツ配信システムでおこなわれるコンテンツバックアップ処理について説明する。図４は、第１実施形態の一例にかかるコンテンツ配信システムでおこなわれるコンテンツバックアップ処理を示すシーケンス図である。
【０１００】
先ず、移動体端末装置３００ａは、バックアップサーバ装置２００ａに対して、目的とするコンテンツのブラウジング処理をおこなう（ステップＳ１０１）。
【０１０１】
続いて、バックアップサーバ装置２００ａは、移動体端末装置３００ａからのブラウジング処理の要求に応じて、コンテンツサーバ装置１００ａに対して、要求されたコンテンツのブラウジング処理をおこなう（ステップＳ１０２）。
【０１０２】
続いて、移動体端末装置３００ａは、バックアップサーバ装置２００ａに対して、コンテンツを指定して、ダウンロードを要求する（ステップＳ１０３）。この要求に応じて、バックアップサーバ装置２００ａは、コンテンツサーバ装置１００ａに対して、該当コンテンツのダウンロード要求をおこなう（ステップＳ１０４）。
【０１０３】
続いて、コンテンツサーバ装置１００ａは、ステップＳ１０４のダウンロード要求に応じて、バックアップサーバ装置２００ａに対して、該当するコンテンツを送信するダウンロード処理をおこなう（ステップＳ１０５）。
【０１０４】
続いて、バックアップサーバ装置２００ａは、コンテンツサーバ装置１００ａからダウンロードされたコンテンツを、一時蓄積用メモリ部２３１に一時蓄積する一時蓄積処理をおこなう（ステップＳ１０６）。
【０１０５】
続いて、バックアップサーバ装置２００ａは、コンテンツサーバ装置１００ａからダウンロードしたコンテンツを、移動体端末装置３００ａへ送信するダウンロード処理をおこなう（ステップＳ１０７）。続いて、移動体端末装置３００ａは、バックアップサーバ装置２００ａからダウンロードしたコンテンツを、一時蓄積用メモリ部３３１に一時蓄積する一時蓄積処理をおこなう（ステップＳ１０８）。
【０１０６】
続いて、移動体端末装置３００ａは、ユーザ操作に基づいて、ステップＳ１０８で一時蓄積処理したコンテンツを、不揮発メモリ部３３２に保存記憶するか否かを判定する（ステップＳ１０９）。不揮発メモリ部３３２に保存記憶すると判定された場合に（ステップＳ１０９肯定）、ステップＳ１１０へ移り、不揮発メモリ部３３２に保存記憶すると判定されなかった場合に、ステップＳ１１４へ移る。
【０１０７】
ステップＳ１１０では、移動体端末装置３００ａは、該当コンテンツを、不揮発メモリ部３３２へ保存記憶する。そして、バックアップサーバ装置２００ａへ、該当コンテンツを、ストレージ部２３２に保存記憶するように保存記憶要求メッセージを送信する（ステップＳ１１１）。
【０１０８】
移動体端末装置３００ａから保存記憶要求メッセージを受信したバックアップサーバ装置２００ａは、ストレージ部２３２へ、該当コンテンツを保存記憶する（ステップＳ１１２）。そして、バックアップサーバ装置２００ａは、移動体端末装置３００ａへ、保存記憶応答メッセージを送信する（ステップＳ１１３）。
【０１０９】
続いて、移動体端末装置３００ａは、ステップＳ１０８で一時蓄積処理したコンテンツを、廃棄する（ステップＳ１１４）。そして、バックアップサーバ装置２００ａへ、該当コンテンツを、一時蓄積用メモリ部２３１から廃棄するように廃棄要求メッセージを送信する（ステップＳ１１５）。
【０１１０】
移動体端末装置３００ａから廃棄要求メッセージを受信したバックアップサーバ装置２００ａは、一時蓄積用メモリ部２３１において、該当コンテンツを廃棄する（ステップＳ１１６）。そして、バックアップサーバ装置２００ａは、移動体端末装置３００ａへ、廃棄応答メッセージを送信する（ステップＳ１１７）。
【０１１１】
続いて、移動体端末装置３００ａは、ユーザ操作に基づいて、ステップＳ１１０で保存記憶処理したコンテンツを、不揮発メモリ部３３２から削除するか否かを判定する（ステップＳ１１８）。不揮発メモリ部３３２から削除すると判定された場合に（ステップＳ１１８肯定）、ステップＳ１１９へ移り、不揮発メモリ部３３２から削除すると判定されなかった場合に（ステップＳ１１８否定）、コンテンツバックアップ処理は終了する。
【０１１２】
ステップＳ１１９では、移動体端末装置３００ａは、該当コンテンツを、不揮発メモリ部３３２から削除する。そして、バックアップサーバ装置２００ａへ、該当コンテンツを、ストレージ部２３２から削除するように削除要求メッセージを送信する（ステップＳ１２０）。
【０１１３】
移動体端末装置３００ａから削除要求メッセージを受信したバックアップサーバ装置２００ａは、ストレージ部２３２から該当コンテンツを削除する（ステップＳ１２１）。そして、バックアップサーバ装置２００ａは、移動体端末装置３００ａへ、削除応答メッセージを送信する（ステップＳ１２２）。
【０１１４】
次に、第１実施形態の一例にかかるバックアップサーバ装置でおこなわれる下りコンテンツ解析処理について説明する。図５は、第１実施形態の一例にかかるバックアップサーバ装置でおこなわれる下りコンテンツ解析処理手順を示すフローチャートである。
【０１１５】
先ず、バックアップサーバ装置２００ａの下り受信解析部２０２は、コンテンツサーバ装置１００ａからの受信データの解析をおこなう（ステップＳ１３１）。続いて、下り受信解析部２０２は、当該受信データが、ダウンロードコンテンツデータであるか否かを判定する（ステップＳ１３２）。
【０１１６】
当該受信データがダウンロードコンテンツデータであると判定された場合に（ステップＳ１３２肯定）、ステップＳ１３３へ移り、当該受信データがダウンロードコンテンツデータであると判定されなかった場合に（ステップＳ１３２否定）、ステップＳ１３４へ移る。
【０１１７】
ステップＳ１３３では、下り受信解析部２０２は、バックアップ管理部２２１へ、コンテンツ受信を通知するとともに、当該コンテンツを受け渡す。この処理が終了すると、ステップＳ１３４へ移る。ステップＳ１３４では、下り受信解析部２０２は、移動体端末装置向け送信部２０３に、移動体端末装置３００ａへ、ダウンロードコンテンツを送信するように要求する。
【０１１８】
次に、第１実施形態の一例にかかるバックアップサーバ装置でおこなわれる上りコンテンツ解析処理について説明する。図６は、第１実施形態の一例にかかるバックアップサーバ装置でおこなわれる上りコンテンツ解析処理手順を示すフローチャートである。
【０１１９】
先ず、バックアップサーバ装置２００ａの上り受信解析部２１２は、移動体端末装置３００ａからの受信データの解析をおこなう（ステップＳ１４１）。続いて、上り受信解析部２１２は、当該受信データが、バックアップサーバ装置２００ａ向けの制御メッセージであるか否かを判定する（ステップＳ１４２）。
【０１２０】
当該受信データがバックアップサーバ装置２００ａ向けの制御メッセージであると判定された場合に（ステップＳ１４２肯定）、ステップＳ１４３へ移り、当該受信データがバックアップサーバ装置２００ａ向けの制御メッセージであると判定されなかった場合に（ステップＳ１４２否定）、ステップＳ１４４へ移る。
【０１２１】
ステップＳ１４３では、上り受信解析部２１２は、バックアップ管理部２２１へ、受信した制御メッセージを通知する。一方、ステップＳ１４４では、上り受信解析部２１２は、ネットワーク向け送信部２１３に、コンテンツサーバ装置１００ａへ、目的とするコンテンツのダウンロード要求をおこなうよう要求する。
【０１２２】
次に、第１実施形態の一例にかかるバックアップサーバ装置でおこなわれる通知信号受信時処理について説明する。図７は、第１実施形態の一例にかかるバックアップサーバ装置でおこなわれる通知信号受信時処理手順を示すフローチャートである。
【０１２３】
先ず、バックアップサーバ装置２００ａのバックアップ管理部２２１は、通知信号の受信元を判定する（ステップＳ１５１）。通知信号の受信元が下り受信解析部２０２である場合にステップＳ１５２へ移り、上り受信解析部２１２である場合にステップＳ１５３へ移り、データ管理部２２２である場合にステップＳ１５８へ移る。
【０１２４】
ステップＳ１５２では、バックアップ管理部２２１は、データ管理部２２２に対して、ダウンロードしたコンテンツを、一時蓄積用メモリ部２３１に一時蓄積するように要求する。
【０１２５】
ステップＳ１５３では、バックアップ管理部２２１は、通知信号の制御種別（制御メッセージの種別）を判定する。通知信号の制御種別が保存記憶要求である場合にステップＳ１５４へ移り、廃棄要求である場合にステップＳ１５５へ移り、削除要求である場合にステップＳ１５６へ移り、リカバリデータ配信要求である場合にステップＳ１５７へ移る。
【０１２６】
ステップＳ１５４では、バックアップ管理部２２１は、データ管理部２２２に対して、一時蓄積用メモリ部２３１に一時蓄積される該当のコンテンツを、ストレージ部２３２に保存記憶するよう要求する。
【０１２７】
ステップＳ１５５では、バックアップ管理部２２１は、データ管理部２２２に対して、一時蓄積用メモリ部２３１に一時蓄積される該当のコンテンツを廃棄するよう要求する。ステップＳ１５６では、バックアップ管理部２２１は、データ管理部２２２に対して、ストレージ部２３２に保存記憶される該当のコンテンツを削除するよう要求する。ステップＳ１５７では、バックアップ管理部２２１は、データ管理部２２２に対して、ストレージ部２３２に保存記憶される該当のコンテンツを読み出すよう要求する。
【０１２８】
ステップＳ１５８では、バックアップ管理部２２１は、通知信号の制御種別を判定する。通知信号の制御種別が保存記憶完了である場合にステップＳ１５９へ移り、廃棄完了である場合にステップＳ１６０へ移り、削除完了である場合にステップＳ１６１へ移り、リカバリデータ読み出し完了である場合にステップＳ１６２へ移る。
【０１２９】
ステップＳ１５９では、バックアップ管理部２２１は、移動体端末装置３００ａへ送信する保存記憶応答メッセージを生成する。ステップＳ１６０では、バックアップ管理部２２１は、移動体端末装置３００ａへ送信する廃棄応答メッセージを生成する。ステップＳ１６１では、バックアップ管理部２２１は、移動体端末装置３００ａへ送信する削除応答メッセージを生成する。ステップＳ１６２では、バックアップ管理部２２１は、移動体端末装置３００ａへ送信するリカバリデータ配信メッセージを生成する。
【０１３０】
ステップＳ１５９、ステップＳ１６０、ステップＳ１６１またはステップＳ１６２が終了すると、バックアップ管理部２２１は、移動体端末装置向け送信部２０３に対して、ステップＳ１５９、ステップＳ１６０、ステップＳ１６１またはステップＳ１６２で生成したメッセージを、移動体端末装置３００ａへ送信するように要求する。
【０１３１】
次に、第１実施形態の一例にかかるバックアップサーバ装置でおこなわれるバックアップ処理について説明する。図８は、第１実施形態の一例にかかるバックアップサーバ装置でおこなわれるバックアップ処理手順を示すフローチャートである。
【０１３２】
先ず、データ管理部２２２は、ユーザ管理部２２３に対して、制御メッセージの送信元である移動体端末装置３００ａのユーザ識別子に基づいて、当該ユーザの認証を要求する（ステップＳ１７１）。ユーザの認証処理の詳細は、後述する。
【０１３３】
続いて、データ管理部２２２は、ユーザ管理部２２３によるユーザ認証がＯＫであったか否かを判定する（ステップＳ１７２）。ユーザ管理部２２３によるユーザ認証がＯＫであったと判定された場合に（ステップＳ１７２肯定）、ステップＳ１７３へ移り、ユーザ管理部２２３によるユーザ認証がＯＫであったと判定されなかった場合に（ステップＳ１７２否定）、バックアップ処理は終了する。
【０１３４】
ステップＳ１７３では、データ管理部２２２は、バックアップ管理部２２１からの制御信号の種別を判定する。制御メッセージの種別が、蓄積記憶要求であると判定された場合にステップＳ１７４へ移り、保存記憶要求であると判定された場合にステップＳ１７５へ移り、廃棄要求であると判定された場合にステップＳ１７９へ移り、削除要求であると判定された場合にステップＳ１８１へ移り、読み出し要求であると判定された場合にステップＳ１８３へ移る。
【０１３５】
ステップＳ１７４では、データ管理部２２２は、一時蓄積用メモリ部２３１に、コンテンツサーバ装置１００ａからダウンロードされたコンテンツを書き込む。
【０１３６】
ステップＳ１７５では、データ管理部２２２は、一時蓄積用メモリ部２３１からコンテンツを読み出す。続いて、データ管理部２２２は、ステップＳ１７５で読み出したコンテンツを、ストレージ部２３２に保存記憶する（ステップＳ１７６）。続いて、データ管理部２２２は、一時蓄積用メモリ部２３１から、当該コンテンツを消去する（ステップＳ１７７）。続いて、データ管理部２２２は、バックアップ管理部２２１に、保存記憶完了を通知する（ステップＳ１７８）。
【０１３７】
ステップＳ１７９では、データ管理部２２２は、一時蓄積用メモリ部２３１から、指定されたコンテンツを削除する。続いて、バックアップ管理部２２１に、廃棄完了を通知する（ステップＳ１８０）。
【０１３８】
ステップＳ１８１では、データ管理部２２２は、ストレージ部２３２から、指定されたコンテンツを削除する。続いて、バックアップ管理部２２１に、削除完了を通知する（ステップＳ１８２）。
【０１３９】
ステップＳ１８３では、データ管理部２２２は、ストレージ部２３２から、指定されたコンテンツを読み出す。続いて、バックアップ管理部２２１に、読み出し完了を通知する（ステップＳ１８４）。
【０１４０】
次に、第１実施形態の一例にかかるバックアップサーバ装置でおこなわれるユーザ認証処理について説明する。図９は、第１実施形態の一例にかかるバックアップサーバ装置でおこなわれるユーザ認証処理手順を示すフローチャートである。
【０１４１】
先ず、バックアップサーバ装置２００ａのユーザ管理部２２３は、ユーザ識別子により認証をおこなう（ステップＳ１９１）。続いて、ユーザ管理部２２３は、認証がＯＫであるか否かを判定する（ステップＳ１９２）。認証がＯＫであると判定された場合に（ステップＳ１９２肯定）、データ管理部２２２に『認証＝ＯＫ』を通知し（ステップＳ１９３）、認証がＯＫであると判定されなかった場合に（ステップＳ１９２否定）、データ管理部２２２に『認証＝ＮＧ』を通知する（ステップＳ１９４）。
【０１４２】
次に、第１実施形態の一例にかかる移動体端末装置でおこなわれる制御信号受信時処理について説明する。図１０は、第１実施形態の一例にかかる移動体端末装置でおこなわれる制御信号受信時処理手順を示すフローチャートである。
【０１４３】
先ず、移動体端末装置３００ａの受信解析部３０２は、受信データの解析をおこなう（ステップＳ２０１）。続いて、受信解析部３０２は、当該受信データが、当該移動体端末装置３００ａ向けの制御信号であるか否かを判定する（ステップＳ２０２）。
【０１４４】
当該受信データが、当該移動体端末装置３００ａ向けの制御信号であると判定された場合に（ステップＳ２０２肯定）、ダウンロード管理部３２１に対して、当該制御信号の通知をおこない（ステップＳ２０３）、当該受信データが、当該移動体端末装置３００ａ向けの制御信号であると判定されなかった場合に（ステップＳ２０２否定）、ブラウザ部３２３に対して、受信データの通知をおこなう（ステップＳ２０４）。
【０１４５】
次に、第１実施形態の一例にかかる移動体端末装置でおこなわれるユーザ操作受け付け時処理について説明する。図１１は、第１実施形態の一例にかかる移動体端末装置でおこなわれるユーザ操作受け付け時処理手順を示すフローチャートである。
【０１４６】
先ず、移動体端末装置３００ａのダウンロード管理部３２１は、ユーザ第２操作部３２５によって受け付けられたユーザ操作の種別を判定する（ステップＳ２１１）。ユーザ操作の種別が、コンテンツの保存記憶であると判定された場合にステップＳ２１２へ移り、コンテンツの廃棄であると判定された場合にステップＳ２１３へ移り、コンテンツの削除であると判定された場合にステップＳ２１４へ移り、コンテンツのリカバリであると判定された場合にステップＳ２１５へ移る。
【０１４７】
ステップＳ２１２では、ダウンロード管理部３２１は、データ管理部３２２に対して、一時蓄積用メモリ部３３１に一時蓄積されているコンテンツを読み出し、不揮発メモリ部３３２へ移動させる保存記憶要求をおこなう。
【０１４８】
ステップＳ２１３では、ダウンロード管理部３２１は、データ管理部３２２に対して、一時蓄積用メモリ部３３１に一時蓄積されているコンテンツを廃棄する廃棄要求をおこなう。
【０１４９】
ステップＳ２１４では、ダウンロード管理部３２１は、データ管理部３２２に対して、不揮発メモリ部３３２に保存記憶されているコンテンツを削除する削除要求をおこなう。
【０１５０】
ステップＳ２１５では、ダウンロード管理部３２１は、コンテンツのリカバリのために、バックアップサーバ装置２００ａ向けに送信する、コンテンツ読み出し要求を生成し、ネットワーク向け送信部３０３に対して、バックアップサーバ装置２００ａへ送信するように要求をおこなう。
【０１５１】
次に、第１実施形態の一例にかかる移動体端末装置でおこなわれる制御受信時処理について説明する。図１２は、第１実施形態の一例にかかる移動体端末装置でおこなわれる制御信号受信時処理手順を示すフローチャートである。
【０１５２】
先ず、移動体端末装置３００ａのダウンロード管理部３２１は、制御信号の通知元を判定する（ステップＳ２２１）。制御信号の通知元が、データ管理部３２２であると判定された場合に、ステップＳ２２２へ移り、ユーザ第１操作部３２４であると判定された場合に、ステップＳ２３１へ移り、受信解析部３０２であると判定された場合に、ステップＳ２３６へ移る。
【０１５３】
ステップＳ２２２では、ダウンロード管理部３２１は、データ管理部３２２からの制御メッセージの種別を判定する。データ管理部３２２からの制御メッセージの種別が、保存記憶完了である場合にステップＳ２２３へ移り、廃棄完了である場合にステップＳ２２４へ移り、削除完了である場合にステップＳ２２５へ移り、読み出し完了である場合にステップＳ２２６へ移り、リカバリ完了である場合にステップＳ２２８へ移る。
【０１５４】
ステップＳ２２３では、ダウンロード管理部３２１は、バックアップサーバ装置２００ａに対する一時蓄積データの保存記憶要求メッセージの生成をおこなう。この処理が終了すると、ステップＳ２２９へ移る。
【０１５５】
ステップＳ２２４では、ダウンロード管理部３２１は、バックアップサーバ装置２００ａに対する一時蓄積データの廃棄要求メッセージの生成をおこなう。この処理が終了すると、ステップＳ２２９へ移る。
【０１５６】
ステップＳ２２５では、ダウンロード管理部３２１は、バックアップサーバ装置２００ａに対する保存記憶データの削除要求メッセージの生成をおこなう。この処理が終了すると、ステップＳ２２９へ移る。
【０１５７】
ステップＳ２２６では、ダウンロード管理部３２１は、一時蓄積用メモリ部３３１において、リカバリデータを一時蓄積するためのメモリ領域確保をおこなう。続いて、ダウンロード管理部３２１は、バックアップサーバ装置２００ａに対するリカバリデータ配信メッセージ（初回要求用）の生成をおこなう（ステップＳ２２７）。この処理が終了すると、ステップＳ２２９へ移る。
【０１５８】
ステップＳ２２８では、ダウンロード管理部３２１は、ステップＳ２２６で確保したメモリ領域を解放する。この処理が終了すると、制御信号受信時処理は終了する。
【０１５９】
ステップＳ２２９では、ダウンロード管理部３２１は、再送制御の開始をおこなう。続いて、ネットワーク向け送信部３０３に対して、ステップＳ２２３、ステップＳ２２４、ステップＳ２２５またはステップＳ２２７で生成した各種制御メッセージを、バックアップサーバ装置２００ａへ送信するよう送信要求をおこなう（ステップＳ２３０）。
【０１６０】
ステップＳ２３１では、ダウンロード管理部３２１は、ユーザ第１操作部３２４によって受け付けられたユーザ操作に応じた制御種別を判定する。ユーザ操作に応じた制御種別が、保存記憶要求であると判定された場合にステップＳ２３２へ移り、廃棄要求であると判定された場合にステップＳ２３３へ移り、削除要求であると判定された場合にステップＳ２３４へ移り、リカバリ要求であると判定された場合にステップＳ２３５へ移る。
【０１６１】
ステップＳ２３２では、ダウンロード管理部３２１は、データ管理部２２２に対して、保存記憶を要求されたコンテンツを、ストレージ部２３２に保存記憶する要求をおこなう。この処理が終了すると、制御信号受信時処理は終了する。
【０１６２】
ステップＳ２３３では、ダウンロード管理部３２１は、データ管理部２２２に対して、廃棄を要求されたコンテンツを、一時蓄積用メモリ部２３１から廃棄する要求をおこなう。この処理が終了すると、制御信号受信時処理は終了する。
【０１６３】
ステップＳ２３４では、ダウンロード管理部３２１は、データ管理部２２２に対して、削除を要求されたコンテンツを、ストレージ部２３２から削除する要求をおこなう。この処理が終了すると、制御信号受信時処理は終了する。
【０１６４】
ステップＳ２３５では、ダウンロード管理部３２１は、データ管理部２２２に対して、リカバリを要求されたコンテンツの管理情報を、ストレージ部２３２から読み出す要求をおこなう。この処理が終了すると、制御信号受信時処理は終了する。
【０１６５】
ステップＳ２３６では、ダウンロード管理部３２１は、後述するステップＳ２２９またはステップＳ２４２で開始された再送制御の停止をおこなう。続いて、ダウンロード管理部３２１は、受信解析部３０２から受け渡された制御種別を判定する（ステップＳ２３７）。
【０１６６】
制御種別が、リカバリデータ配信応答である場合にステップＳ２３８へ移り、保存記憶応答、廃棄応答または削除応答である場合に、制御信号受信時処理は終了する。
【０１６７】
ステップＳ２３８では、ダウンロード管理部３２１は、データ管理部２２２に対して、受信したリカバリデータを、一時蓄積用メモリ部２３１に蓄積する要求をおこなう。続いて、ダウンロード管理部３２１は、リカバリデータ受信完了か否かを判定する（ステップＳ２３９）。
【０１６８】
リカバリデータ受信完了であると判定された場合に（ステップＳ２３９肯定）、ステップＳ２４０へ移り、リカバリデータ受信完了であると判定されなかった場合に（ステップＳ２３９否定）、ステップＳ２４１へ移る。
【０１６９】
ステップＳ２４１では、ダウンロード管理部３２１は、バックアップサーバ装置２００ａに対するリカバリデータ配信メッセージ（継続要求用）の生成をおこなう。続いて、ダウンロード管理部３２１は、再送制御の開始をおこなう（ステップＳ２４２）。続いて、ネットワーク向け送信部３０３に対して、ステップＳ２４１で生成したリカバリデータ配信メッセージ（継続要求用）の送信要求をおこなう（ステップＳ２４３）。この処理が終了すると、制御信号受信時処理は終了する。
【０１７０】
以上の第１実施形態の一例によれば、移動体端末装置３００ａにおいて、コンテンツサーバ装置からコンテンツをダウンロードする際に、移動体端末装置３００ａのユーザ操作と、バックアップサーバ装置２００ａにけるコンテンツのバックアップ処理とを同期させるので、移動体端末装置３００ａ内に保存記憶されたコンテンツを、バックアップサーバ装置２００ａにアップロードすることなく、リアルタイムにバックアップサーバ装置２００ａで、コンテンツのミラーリングをおこなうことができる。これによって、移動体端末装置３００ａのユーザは、コンテンツのデータにトラブルが発生して再生できない状況に陥ったとしても、データ復旧を容易に行うことができるようになる。
【０１７１】
また、移動体端末装置３００ａ内に保存記憶されたコンテンツを削除する際にも、移動体端末装置３００ａのユーザ操作と、バックアップサーバ装置２００ａにおけるコンテンツの削除処理とを同期させるので、不必要なバックアップコンテンツをバックアップサーバ装置２００ａに残すことなく、バックアップサーバ装置２００ａのストレージ部２３２の資源の効率的利用を図ることができる。以上によって、このシステムにより、移動体端末ユーザは、バックアップ作業を意識することなく、移動体端末装置３００ａ内のコンテンツと。バックアップサーバ装置２００ａ内で、リアルタイムに、コンテンツの同期をとることが可能になる。
【０１７２】
次に、図１３〜図１７を参照して、第２実施形態の一例について説明する。第２実施形態の一例についての説明は、第１実施形態の一例との差異部分のみについておこなう。図１３は、第２実施形態の一例にかかるコンテンツ配信システムの構成の概要を示す図である。同図に示すように、第２実施形態の一例にかかるコンテンツ配信システムＳ２には、ネットワークＮに、コンテンツサーバ装置１００ｂと、バックアップサーバ装置２００ｂと、ゲートウェイサーバ装置５００とが接続されている。
【０１７３】
ゲートウェイサーバ装置５００は、基地局サーバ装置４００を介して、移動体端末装置３００ｂからコンテンツサーバ装置１００ｂへの、コンテンツの配信要求パケットを、直接コンテンツサーバ装置１００ｂへ送信する。
【０１７４】
コンテンツサーバ装置１００ｂは、ゲートウェイサーバ装置５００から、コンテンツの送信要求を受信したならば、該当コンテンツを、コンテンツの送信要求元である移動体端末装置３００ｂへ送信するとともに、バックアップサーバ装置２００ｂへと送信する。バックアップサーバ装置２００ｂは、コンテンツサーバ装置１００ｂから受信したコンテンツを、一時記憶する。
【０１７５】
移動体端末装置３００ｂは、受信したコンテンツを、一時記憶する。そして、移動体端末装置３００ｂは、一時記憶しているコンテンツを、不揮発記憶装置などに保存記憶すると、バックアップサーバ装置２００ｂに対して、バックアップサーバ装置２００ｂ内で一時記憶しているコンテンツを、不揮発記憶装置などに保存記憶するように指示する。
【０１７６】
バックアップサーバ装置２００ｂは、移動体端末装置３００ｂからの指示に従って、一時記憶しているコンテンツを、不揮発記憶装置などに保存記憶する。この処理が、コンテンツのダウンロードに付随して行われるコンテンツのバックアップ処理である。
【０１７７】
このように、コンテンツサーバ装置１００ｂは、移動体端末装置３００ｂへコンテンツを送信するとともに、バックアップサーバ装置２００ｂへもコンテンツを送信するので、移動体端末装置３００ｂのユーザは、バックアップを意識せずとも、確実にバックアップがおこなわれることとなる。
【０１７８】
次に、第２実施形態の一例にかかるコンテンツ配信システムの構成について説明する。図１４は、第２実施形態の一例にかかるコンテンツ配信システムの構成を示すブロック図である。
【０１７９】
第２実施形態の一例にかかるコンテンツ配信システムＳ２が有するコンテンツサーバ装置１００ｂは、移動体端末装置向け送信部１０１と、バックアップサーバ装置向け送信部１０２と、移動体端末装置向け受信部１１１と、コンテンツ配信管理部１２１と、データ管理部１２２と、ユーザ管理部１２３と、コンテンツデータ格納部１３１とを有する。
【０１８０】
また、第２実施形態の一例にかかるコンテンツ配信システムＳ２が有するバックアップサーバ装置２００ｂは、第１実施形態にかかるバックアップサーバ装置２００ａと比べ、下り受信解析部２０２および上り受信解析部２１２が省略された構成となっているが、一部の構成の処理機能が異なっている。
【０１８１】
また、第２実施形態の一例にかかるコンテンツ配信システムＳ２が有する移動体端末装置３００ｂは、第１実施形態にかかるバックアップサーバ装置２００aと同一の構成であるが、一部の構成の処理機能が異なっている。
【０１８２】
まず、コンテンツ配信（ダウンロード）要求処理に関して、第１実施形態の一例にかかるコンテンツ配信システムＳ１との差異についてのみ、各機能の説明をおこなう。移動体端末装置３００ｂからのコンテンツ配信要求は、コンテンツサーバ装置１００ｂへ直接送信される。
【０１８３】
コンテンツサーバ装置１００ｂは、移動体端末装置３００ｂからのコンテンツ配信要求メッセージを、移動体端末装置向け受信部１１１で受信する。そして、受信したコンテンツ配信要求を、コンテンツ配信管理部１２１に通知する。
【０１８４】
コンテンツ配信管理部１２１は、データ管理部１２２へ、移動体端末装置３００ｂのユーザ識別子とともに、コンテンツデータの読み出し要求を送信する。データ管理部１２２は、ユーザ管理部１２３に対して、移動体端末装置３００ｂのユーザ識別子にて当該ユーザの認証要求をおこなう。認証に成功した場合は、コンテンツデータ格納部１３１に格納される目的のコンテンツを読み出して、コンテンツ配信管理部１２１に送信する。
【０１８５】
コンテンツ配信管理部１２１では、データ管理部１２２から受信したコンテンツを、移動体端末装置向け送信部１０１に送信する。そして、バックアップ可能なデータである場合に、当該コンテンツを、バックアップサーバ装置向け送信部１０２へも送信する。
【０１８６】
すなわち、コンテンツは、コンテンツサーバ装置１００ｂから、移動体端末装置３００ｂに直接送信されるとともに、バックアップサーバ装置２００ｂにも直接送信されることとなる。
【０１８７】
次に、バックアップサーバ装置２００ｂおよび移動体端末装置３００ｂにおけるコンテンツの保存記憶に関して、第１実施形態の一例にかかるコンテンツ配信システムＳ１との差異についてのみ、各機能の説明をおこなう。
【０１８８】
コンテンツを保存記憶する場合は、バックアップサーバ装置２００ｂは、移動体端末装置３００ｂからのコンテンツの保存記憶要求メッセージを、移動体端末装置向け受信部２１１で受信すると、受信をバックアップ管理部２２１に通知する。
【０１８９】
バックアップ管理部２２１は、移動体端末装置向け受信部２１１から通知された保存記憶要求メッセージを解析し、移動体端末装置３００ｂからの保存記憶要求である場合に、データ管理部２２２に対して、移動体端末装置３００ｂのユーザ識別子と、コンテンツデータに基づくハッシュ値と、保存ファイル名とを指定し、保存記憶要求をおこなう。
【０１９０】
次に、バックアップサーバ装置２００ｂおよび移動体端末装置３００ｂにおいて一時蓄積されているコンテンツの廃棄に関して、第１実施形態の一例にかかるコンテンツ配信システムＳ１との差異についてのみ、各機能の説明をおこなう。
【０１９１】
バックアップサーバ装置２００ｂは、移動体端末装置３００ｂからの廃棄要求メッセージを移動体端末装置向け受信部２１１で受信し、受信をバックアップ管理部２２１に通知する。
【０１９２】
バックアップ管理部２２１は、移動体端末装置向け受信部２１１から通知された廃棄要求メッセージを解析し、移動体端末装置３００ｂからの廃棄要求である場合に、データ管理部２２２に対して、移動体端末装置３００ｂのユーザ識別子と、一時蓄積ファイル名とを指定し、当該コンテンツの廃棄要求をおこなう。
【０１９３】
次に、バックアップサーバ装置２００ｂおよび移動体端末装置３００ｂにおいて保存記憶されているコンテンツの削除に関して、第１実施形態の一例にかかるコンテンツ配信システムＳ１との差異についてのみ、各機能の説明をおこなう。
【０１９４】
バックアップサーバ装置２００ｂは、移動体端末装置３００ｂからの削除要求メッセージを、移動体端末装置向け受信部２１１で受信し、受信をバックアップ管理部２２１に通知する。
【０１９５】
バックアップ管理部２２１は、移動体端末装置向け受信部２１１から通知されたメッセージを解析し、移動体端末装置３００ｂからの削除要求である場合に、データ管理部２２２に対して、移動体端末装置３００ｂのユーザ識別子と保存ファイル名とを指定し、削除要求を行う。
【０１９６】
次に、第２実施形態の一例にかかるコンテンツ配信システムでおこなわれるコンテンツバックアップ処理について説明する。図１５は、第２実施形態の一例にかかるコンテンツ配信システムでおこなわれるコンテンツバックアップ処理を示すシーケンス図である。
【０１９７】
先ず、移動体端末装置３００ｂは、コンテンツサーバ装置１００ｂに対して、目的とするコンテンツのブラウジング処理をおこなう（ステップＳ２５１）。続いて、移動体端末装置３００ｂは、コンテンツサーバ装置１００ｂに対して、コンテンツを指定して、ダウンロードを要求する（ステップＳ２５２）。この要求に応じて、コンテンツサーバ装置１００ｂは、バックアップサーバ装置２００ｂに対して、該当コンテンツのアップロード処理をおこなう（ステップＳ２５３）。
【０１９８】
続いて、バックアップサーバ装置２００ｂは、コンテンツサーバ装置１００ｂからアップロードされたコンテンツを、一時蓄積用メモリ部２３１に一時蓄積する一時蓄積処理をおこなう（ステップＳ２５４）。
【０１９９】
続いて、コンテンツサーバ装置１００ｂは、ステップＳ２５３でバックアップサーバ装置２００ｂへと送信されたコンテンツと同一のコンテンツを、移動体端末装置３００ｂへ送信するダウンロード処理をおこなう（ステップＳ２５５）。続いて、移動体端末装置３００ｂは、コンテンツサーバ装置１００ｂからダウンロードされたコンテンツを、一時蓄積用メモリ部３３１に一時蓄積する一時蓄積処理をおこなう（ステップＳ２５６）。
【０２００】
続いて、移動体端末装置３００ｂは、ユーザ操作に基づいて、ステップＳ２５４で一時蓄積処理したコンテンツを、不揮発メモリ部３３２に保存記憶するか否かを判定する（ステップＳ２５７）。不揮発メモリ部３３２に保存記憶すると判定された場合に（ステップＳ２５７肯定）、ステップＳ２５８へ移り、不揮発メモリ部３３２に保存記憶すると判定されなかった場合に（ステップＳ２５７否定）、ステップＳ２６２へ移る。
【０２０１】
ステップＳ２５８では、移動体端末装置３００ｂは、該当コンテンツを、不揮発メモリ部３３２へ保存記憶する。そして、バックアップサーバ装置２００ｂへ、該当コンテンツを、ストレージ部２３２に保存記憶するように保存記憶要求メッセージを送信する（ステップＳ２５９）。
【０２０２】
移動体端末装置３００ｂから保存記憶要求メッセージを受信したバックアップサーバ装置２００ｂは、ストレージ部２３２へ、該当コンテンツを保存記憶する（ステップＳ２６０）。そして、バックアップサーバ装置２００ｂは、移動体端末装置３００ｂへ、保存記憶応答メッセージを送信する（ステップＳ２６１）。
【０２０３】
続いて、移動体端末装置３００ｂは、ステップＳ２５４で一時蓄積処理したコンテンツを、廃棄する（ステップＳ２６２）。そして、バックアップサーバ装置２００ｂへ、該当コンテンツを、一時蓄積用メモリ部２３１から廃棄するように廃棄要求メッセージを送信する（ステップＳ２６３）。
【０２０４】
移動体端末装置３００ｂから廃棄要求メッセージを受信したバックアップサーバ装置２００ｂは、一時蓄積用メモリ部２３１において、該当コンテンツを廃棄する（ステップＳ２６４）。そして、バックアップサーバ装置２００ｂは、移動体端末装置３００ｂへ、廃棄応答メッセージを送信する（ステップＳ２６５）。
【０２０５】
続いて、移動体端末装置３００ｂは、ユーザ操作に基づいて、ステップＳ２５８で保存記憶処理したコンテンツを、不揮発メモリ部３３２から削除するか否かを判定する（ステップＳ２６６）。不揮発メモリ部３３２から削除すると判定された場合に（ステップＳ２６６肯定）、ステップＳ２６７へ移り、不揮発メモリ部３３２から削除すると判定されなかった場合に（ステップＳ２６６否定）、コンテンツバックアップ処理は終了する。
【０２０６】
ステップＳ２６７では、移動体端末装置３００ｂは、該当コンテンツを、不揮発メモリ部３３２から削除する。そして、バックアップサーバ装置２００ｂへ、該当コンテンツを、ストレージ部２３２から削除するように削除要求メッセージを送信する（ステップＳ２６８）。
【０２０７】
移動体端末装置３００ｂから削除要求メッセージを受信したバックアップサーバ装置２００ｂは、ストレージ部２３２から該当コンテンツを削除する（ステップＳ２６９）。そして、バックアップサーバ装置２００ｂは、移動体端末装置３００ｂへ、削除応答メッセージを送信する（ステップＳ２７０）。
【０２０８】
次に、第２実施形態の一例にかかるコンテンツサーバ装置でおこなわれるアップロード処理について説明する。図１６は、第２実施形態の一例にかかるコンテンツサーバ装置でおこなわれるアップロード処理手順を示すフローチャートである。コンテンツサーバ装置１００ｂのコンテンツ配信管理部１２１は、移動体端末装置３００ｂからのコンテンツ配信要求に応じて、移動体端末装置向け送信部１０１に対して、該当するコンテンツを当該移動体端末装置３００ｂへ送信指示する前に、バックアップバックサーバ装置向け送信部１０２に対して、バックアップサーバ装置２００ｂへ、当該コンテンツのバックアップのためのアップロード処理指示をおこなう（ステップＳ２８１）。
【０２０９】
次に、第２実施形態の一例にかかるコンテンツサーバ装置でおこなわれるコンテンツ配信処理について説明する。図１７は、第２実施形態の一例にかかるコンテンツサーバ装置でおこなわれるコンテンツ配信処理手順を示すフローチャートである。
【０２１０】
先ず、コンテンツ配信管理部１２１は、データ管理部１２２に対して、コンテンツデータ格納部１３１から、配信要求されたコンテンツの読み出し要求をおこなう（ステップＳ２９１）。続いて、コンテンツ配信管理部１２１は、当該コンテンツがバックアップ可能なコンテンツであるか否かを判定する（ステップＳ２９２）。ここで、バックアップ可能なコンテンツとは、例えば、コンテンツ配信システムＳ２において、バックアップすることを許容されているコンテンツである。
【０２１１】
当該コンテンツがバックアップ可能なコンテンツであると判定された場合に（ステップＳ２９２肯定）、ステップＳ２９３へ移り、当該コンテンツがバックアップ可能なコンテンツであると判定されなかった場合に（ステップＳ２９４）へ移る。
【０２１２】
ステップＳ２９３では、コンテンツ配信管理部１２１は、バックアップサーバ装置向け送信部１０２に対して、バックアップサーバ装置２００ｂへの当該コンテンツの送信要求をおこなう。
【０２１３】
続いて、コンテンツ配信管理部１２１は、コンテンツサーバ装置１００ｂの移動体端末装置向け送信部１０１に対して、移動体端末装置３００ｂへの当該コンテンツの送信要求をおこなう（ステップＳ２９４）。
【０２１４】
以上の第１実施形態の一例および第２実施形態の一例によれば、各コンテンツを配信しているコンテンツサーバ装置１００ａ（または１００ｂ）からダウンロードしたコンテンツは、通信会社が用意するバックアップサーバ装置２００ａ（または２００ｂ）で、一元的にバックアップ管理され、移動体端末装置３００ａ（または３００ｂ）内のコンテンツとミラーリングされる。
【０２１５】
よって、移動体端末装置３００ａ（または３００ｂ）を機種変更したり、修理等で初期化したりした場合など、再度、各コンテンツを配信しているコンテンツサーバ装置１００ａ（または１００ｂ）から、コンテンツをダウンロードする必要がない。代わりに、バックアップサーバ装置２００ａ（または２００ｂ）からコンテンツをダウンロードするだけで、データを復旧することができる。
【０２１６】
また、ダウンロードしてバックアップサーバ装置２００ａ（または２００ｂ）にバックアップしているコンテンツが、当該コンテンツを提供している提供側で、提供を終了した場合であっても、バックアップサーバ装置２００ａ（または２００ｂ）にてバックアップをおこなっていることから、移動体端末装置３００ａ（または３００ｂ）内のコンテンツの復元を完全におこなうことができるようになる。
【０２１７】
また、従来であれば、移動体端末装置３００ａ（または３００ｂ）内のコンテンツをバックアップするためには、バックアップサーバ装置２００ａ（または２００ｂ）にアップロードする必要があったが、アップロード自体が必要なく、アップロードに要するネットワークや無線リソースを使わずにすむため、ネットワークのトラフィックを軽減し、エネルギー効率のよいコンテンツ配信システムを実現できる。
【０２１８】
さらに、著作権付きのコンテンツの場合においても、第三者が利用することが出来ないように認証機構を有するバックアップサーバ装置２００ａ（または２００ｂ）にてバックアップするため、コンテンツを提供する側の権利を保護しつつ、移動体端末装置３００ａ（または３００ｂ）のユーザの利便性を向上させることができるようになる。
【０２１９】
以上、本発明の実施形態の一例を説明したが、本発明は、これに限られるものではなく、特許請求の範囲に記載した技術的思想の範囲内で、更に種々の異なる実施形態の一例で実施されてもよいものである。また、実施形態の一例に記載した効果は、これに限定されるものではない。
【０２２０】
上記第１実施例の一例および第２実施例の一例では、不揮発メモリ部３３２が、移動体端末装置３００ａ（または３００ｂ）と一体の記憶装置であることを前提としている。このため、一時記憶用メモリ部３３１から不揮発メモリ部３３２へ、コンテンツを保存記憶した際に、バックアップサーバ装置２００ａ（または２００ｂ）において、当該コンテンツのバックアップの有効性がある。
【０２２１】
しかし、不揮発メモリ部３３２が、外部記憶装置（例えば、移動体端末装置３００ａ（または３００ｂ）に挿入して使用する小型の不揮発記憶媒体など）である場合は、移動体端末装置３００ａ（または３００ｂ）の故障などが発生しても、当該外部記憶装置を他の移動体端末装置に装着してコンテンツを利用可能となる場合がある。
【０２２２】
よって、コンテンツサーバ装置１００ａ（または１００ｂ）から移動体端末装置３００ａ（または３００ｂ）へダウンロードされるコンテンツすべてをバックアップサーバ装置２００ａ（または２００ｂ）にバックアップするのではなく、不揮発メモリ部３３２が外部記憶装置である場合には、バックアップサーバ装置２００ａ（または２００ｂ）におけるバックアップをおこなわないとしてもよい。
【０２２３】
すなわち、バックアップサーバ装置２００ａ（または２００ｂ）にてバックアップをおこなうコンテンツは、ユーザの指示、コンテンツの種類、不揮発メモリ部３３２が外部記憶装置であるか否かなどの諸条件を考慮して、選択的におこなうようにしてもよい。このようにすると、バックアップサーバ装置２００ａ（または２００ｂ）のストレージ部２３２の記憶資源を効率的に利用することが可能になる。
【０２２４】
また、上記第１実施例の一例および第２実施例の一例では、バックアップサーバ装置２００ａ（または２００ｂ）にてコンテンツのバックアップをおこなう際には、移動体端末装置３００ａ（または３００ｂ）のユーザ識別子ごとに、コンテンツのバックアップをおこなうこととした。
【０２２５】
しかし、これに限らず、コンテンツごとに、当該コンテンツのバックアップをおこなうユーザのユーザ識別子を対応付けてバックアップをおこなうこととしてもよい。このようにすると、バックアップサーバ装置２００ａ（または２００ｂ）のストレージ部２３２の記憶資源を効率的に利用することが可能になる。
【０２２６】
また、上記実施形態の一例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施形態の一例で示した処理手順、制御手順、具体的名称、各種のデータやパラメータを含む情報については、特記する場合を除いて任意に変更することができる。
【０２２７】
また、図示した各装置の各構成要素は機能概念的なものであり、必ずしも物理的に図示のように構成されていることを要しない。すなわち、各装置の分散および統合の具体的形態は図示のものに限られず、その全部または一部を、各種の負荷や使用状況などに応じて、任意の単位で機能的または物理的に分散もしくは統合して構成することができる。
【０２２８】
さらに、各装置にて行なわれる各処理機能は、その全部または任意の一部が、ＣＰＵ（Central  Processing  Unit）（またはＭＰＵ（Micro  Processing  Unit）、ＭＣＵ（Micro  Controller  Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【０２２９】
以上の実施形態の一例を含む実施形態の一例に関し、さらに以下の付記を開示する。
【０２３０】
（付記１）端末装置からの配信データのダウンロード要求に応じてデータ配信サーバ装置によって前記端末装置へ送信される配信データを、前記データ配信サーバ装置から受信する配信データ受信手段と、
前記配信データ受信手段によって受信された前記配信データを一時記憶する一時記憶手段と、
前記配信データをバックアップ保存する配信データバックアップ保存手段と、
前記端末装置からの前記配信データのバックアップ指示に従って、前記一時記憶手段に一時記憶される前記配信データを、前記一時記憶手段から前記配信データバックアップ保存手段へと移動させるバックアップ処理手段と
を有することを特徴とする配信データバックアップ装置。
【０２３１】
（付記２）前記端末装置から前記データ配信サーバ装置への配信データのダウンロード要求を受信して前記データ配信サーバ装置へと転送するダウンロード要求転送手段と、
前記配信データ受信手段によって受信された前記配信データを、当該配信データのダウンロード要求元である前記端末装置へと転送する配信データ転送手段と
をさらに有し、
前記配信データ受信手段は、前記ダウンロード要求転送手段によって転送された前記配信データのダウンロード要求に応じて前記データ配信サーバ装置から送信された前記配信データを受信することを特徴とする付記１に記載の配信データバックアップ装置。
【０２３２】
（付記３）前記ダウンロード要求転送手段は、前記配信データのダウンロード要求を前記データ配信サーバ装置へと転送するとともに、前記配信データのダウンロード要求に対応するダウンロード要求通知を、前記バックアップ処理手段へ通知することを特徴とする付記２に記載の配信データバックアップ装置。
【０２３３】
（付記４）前記配信データ受信手段は、前記端末装置から、前記データ配信サーバ装置へ送信される前記配信データのダウンロード要求とともに、前記配信データのダウンロード要求に対応するダウンロード要求通知を受信して、前記バックアップ処理手段へ通知することを特徴とする付記１に記載の配信データバックアップ装置。
【０２３４】
（付記５）前記配信データ受信手段は、前記端末装置からの前記配信データのダウンロード要求に応じた前記データ配信サーバ装置から前記端末装置への送信とは別に、前記データ配信サーバ装置からアップロード送信される前記配信データを受信することを特徴とする付記４に記載の配信データバックアップ装置。
【０２３５】
（付記６）前記バックアップ処理手段は、
前記端末装置からの前記配信データの廃棄指示に従って、前記一時記憶手段に一時記憶される前記配信データを、前記一時記憶手段から消去し、
前記端末装置からの前記配信データの削除指示に従って、前記配信データバックアップ保存手段に保存される前記配信データを、前記配信データバックアップ保存手段から消去する
ことを特徴とする付記１〜５のいずれか一つに記載の配信データバックアップ装置。
【０２３６】
（付記７）端末装置からの配信データのダウンロード要求に応じて、前記端末装置へ前記配信データを送信するデータ配信装置であって、
前記配信データをバックアップ保存するための配信データバックアップ装置によって転送されてきた前記端末装置からの前記配信データのダウンロード要求に応じた前記配信データを、前記配信データバックアップ装置へ送信する配信データ送信手段を有することを特徴とするデータ配信装置。
【０２３７】
（付記８）データ配信装置からの配信データをバックアップ保存するための配信データバックアップ装置であって、
端末装置からの配信データのダウンロード要求に応じて、前記データ配信装置から受信した前記配信データを、前記端末装置へ転送するとともに、前記配信データをバックアップ保存するための配信データバックアップ装置へ送信する配信データ送信手段を有することを特徴とするデータ配信装置。
【０２３８】
（付記９）端末装置からの配信データのダウンロード要求に応じてデータ配信サーバ装置によって前記端末装置へ送信される配信データを、前記データ配信サーバ装置から受信する配信データ受信ステップと、
前記配信データ受信ステップによって受信された前記配信データを一時記憶装置に一時記憶させる一時記憶ステップと、
前記配信データを保存記憶装置にバックアップ保存させる配信データバックアップ保存ステップと、
前記端末装置からの前記配信データのバックアップ指示に従って、前記一時記憶ステップよって前記一時記憶装置に一時記憶されている前記配信データを、前記一時記憶装置から配信データバックアップ保存装置へと移動させるバックアップ処理ステップと
を含むことを特徴とする配信データバックアップ方法。
【０２３９】
（付記１０）前記端末装置から前記データ配信サーバ装置への配信データのダウンロード要求を受信して前記データ配信サーバ装置へと転送するダウンロード要求転送ステップと、
前記配信データ受信ステップによって受信された前記配信データを、当該配信データのダウンロード要求元である前記端末装置へと転送する配信データ転送ステップと
をさらに含み、
前記配信データ受信ステップは、前記ダウンロード要求転送ステップによって転送された前記配信データのダウンロード要求に応じて前記データ配信サーバ装置から送信された前記配信データを受信することを特徴とする付記９に記載の配信データバックアップ方法。
【０２４０】
（付記１１）前記ダウンロード要求転送ステップは、前記配信データのダウンロード要求を前記データ配信サーバ装置へと転送するとともに、前記配信データのダウンロード要求に対応するダウンロード要求通知を、前記バックアップ処理ステップへ通知することを特徴とする付記１０に記載の配信データバックアップ方法。
【０２４１】
（付記１２）前記配信データ受信ステップは、前記端末装置から、前記データ配信サーバ装置へ送信される前記配信データのダウンロード要求とともに、前記配信データのダウンロード要求に対応するダウンロード要求通知を受信して、前記バックアップ処理ステップへ通知することを特徴とする付記９に記載の配信データバックアップ方法。
【０２４２】
（付記１３）前記配信データ受信ステップは、前記端末装置からの前記配信データのダウンロード要求に応じた前記データ配信サーバ装置から前記端末装置への送信とは別に、前記データ配信サーバ装置からアップロード送信される前記配信データを受信することを特徴とする付記１０に記載の配信データバックアップ方法。
【０２４３】
（付記１４）前記バックアップ処理ステップは、
前記端末装置からの前記配信データの廃棄指示に従って、前記一時記憶装置に一時記憶されている前記配信データを、前記一時記憶装置から消去し、
前記端末装置からの前記配信データの削除指示に従って、前記配信データバックアップ保存装置に保存されている前記配信データを、前記配信データバックアップ保存装置から消去する
ことを特徴とする付記９〜１３のいずれか一つに記載の配信データバックアップ方法。
【０２４４】
（付記１５）端末装置からの配信データのダウンロード要求に応じてデータ配信サーバ装置によって前記端末装置へ送信される配信データを、前記データ配信サーバ装置から受信する配信データ受信手順と、
前記配信データ受信手順によって受信された前記配信データを一時記憶装置に一時記憶させる一時記憶手順と、
前記配信データを保存記憶装置にバックアップ保存させる配信データバックアップ保存手順と、
前記端末装置からの前記配信データのバックアップ指示に従って、前記一時記憶手順によって前記一時記憶装置に一時記憶されている前記配信データを、前記一時記憶装置から配信データバックアップ保存装置へと移動させるバックアップ処理手順と
をコンピュータ装置に実行させることを特徴とする配信データバックアッププログラム。
【０２４５】
（付記１６）前記端末装置から前記データ配信サーバ装置への配信データのダウンロード要求を受信して前記データ配信サーバ装置へと転送するダウンロード要求転送手順と、
前記配信データ受信手順によって受信された前記配信データを、当該配信データのダウンロード要求元である前記端末装置へと転送する配信データ転送手順と
をさら前記コンピュータ装置に実行させ、
前記配信データ受信手順は、前記ダウンロード要求転送手順によって転送された前記配信データのダウンロード要求に応じて前記データ配信サーバ装置から送信された前記配信データを受信することを特徴とする付記１５に記載の配信データバックアッププログラム。
【０２４６】
（付記１７）前記ダウンロード要求転送手順は、前記配信データのダウンロード要求を前記データ配信サーバ装置へと転送するとともに、前記配信データのダウンロード要求に対応するダウンロード要求通知を、前記バックアップ処理手順へ通知することを特徴とする付記１６に記載の配信データバックアッププログラム。
【０２４７】
（付記１８）前記配信データ受信手順は、前記端末装置から、前記データ配信サーバ装置へ送信される前記配信データのダウンロード要求とともに、前記配信データのダウンロード要求に対応するダウンロード要求通知を受信して、前記バックアップ処理手順へ通知することを特徴とする付記１５に記載の配信データバックアッププログラム。
【０２４８】
（付記１９）前記配信データ受信手順は、前記端末装置からの前記配信データのダウンロード要求に応じた前記データ配信サーバ装置から前記端末装置への送信とは別に、前記データ配信サーバ装置からアップロード送信される前記配信データを受信することを特徴とする付記１６に記載の配信データバックアッププログラム。
【０２４９】
（付記２０）前記バックアップ処理手順は、
前記端末装置からの前記配信データの廃棄指示に従って、前記一時記憶装置に一時記憶されている前記配信データを、前記一時記憶装置から消去し、
前記端末装置からの前記配信データの削除指示に従って、前記配信データバックアップ保存装置に保存されている前記配信データを、前記配信データバックアップ保存装置から消去する
ことを特徴とする付記１５〜１９のいずれか一つに記載の配信データバックアッププログラム。
【図面の簡単な説明】
【０２５０】
【図１】第１実施形態の一例にかかるコンテンツ配信システムの構成の概要を示す図である。
【図２】第１実施形態の一例にかかるコンテンツ配信システムの構成を示すブロック図である。
【図３】第１実施形態の一例にかかるバックアップサーバ装置と移動体端末装置との間で送受信される制御メッセージの一例を示す図である。
【図４】第１実施形態の一例にかかるコンテンツ配信システムでおこなわれるコンテンツバックアップ処理を示すシーケンス図である。
【図５】第１実施形態の一例にかかるバックアップサーバ装置でおこなわれる下りコンテンツ解析処理手順を示すフローチャートである。
【図６】第１実施形態の一例にかかるバックアップサーバ装置でおこなわれる上りコンテンツ解析処理手順を示すフローチャートである。
【図７】第１実施形態の一例にかかるバックアップサーバ装置でおこなわれる通知信号受信時処理手順を示すフローチャートである。
【図８】第１実施形態の一例にかかるバックアップサーバ装置でおこなわれるバックアップ処理手順を示すフローチャートである。
【図９】第１実施形態の一例にかかるバックアップサーバ装置でおこなわれるユーザ認証処理手順を示すフローチャートである。
【図１０】第１実施形態の一例にかかる移動体端末装置でおこなわれる制御信号受信時処理手順を示すフローチャートである。
【図１１】第１実施形態の一例にかかる移動体端末装置でおこなわれるユーザ操作受け付け時処理手順を示すフローチャートである。
【図１２】第１実施形態の一例にかかる移動体端末装置でおこなわれる制御信号受信時処理手順を示すフローチャートである。
【図１３】第２実施形態の一例にかかるコンテンツ配信システムの構成の概要を示す図である。
【図１４】第２実施形態の一例にかかるコンテンツ配信システムの構成を示すブロック図である。
【図１５】第２実施形態の一例にかかるコンテンツ配信システムでおこなわれるコンテンツバックアップ処理を示すシーケンス図である。
【図１６】第２実施形態の一例にかかるコンテンツサーバ装置でおこなわれるアップロード処理手順を示すフローチャートである。
【図１７】第２実施形態の一例にかかるコンテンツサーバ装置でおこなわれるコンテンツ配信処理手順を示すフローチャートである。
【符号の説明】
【０２５１】
１００ａ、１００ｂ    コンテンツサーバ装置
１０１    移動体端末装置向け送信部
１０２    バックアップサーバ装置向け送信部
１１１    移動体端末装置向け受信部
１２１    コンテンツ配信管理部
１２２    データ管理部
１２３    ユーザ管理部
１３１    コンテンツデータ格納部
２００ａ、２００ｂ    バックアップサーバ装置
２０１    ネットワーク向け受信部
２０２    下り受信解析部
２０３    移動体端末装置向け送信部
２１１    移動体端末装置向け受信部
２１２    上り受信解析部
２１３    ネットワーク向け送信部
２２１    バックアップ管理部
２２２    データ管理部
２２３    ユーザ管理部
２３１    一時蓄積用メモリ部
２３２    ストレージ部
３００ａ、３００ｂ    移動体端末装置
３０１    ネットワーク向け受信部
３０２    受信解析部
３０３    ネットワーク向け送信部
３２１    ダウンロード管理部
３２２    データ管理部
３２３    ブラウザ部
３２４    ユーザ第１操作部
３２５    ユーザ第２操作部
３３１    一時蓄積用メモリ部
３３２    不揮発メモリ部
４００    基地局サーバ装置
５００    ゲートウェイサーバ装置
Ｎ    ネットワーク
Ｒ    無線通信網
Ｓ１、Ｓ２    コンテンツ配信システム
【図１】
2009238016.tif 000003
【図２】
2009238016.tif 000004
【図３】
2009238016.tif 000005
【図４】
2009238016.tif 000006
【図５】
2009238016.tif 000007
【図６】
2009238016.tif 000008
【図７】
2009238016.tif 000009
【図８】
2009238016.tif 000010
【図９】
2009238016.tif 000011
【図１０】
2009238016.tif 000012
【図１１】
2009238016.tif 000013
【図１２】
2009238016.tif 000014
【図１３】
2009238016.tif 000015
【図１４】
2009238016.tif 000016
【図１５】
2009238016.tif 000017
【図１６】
2009238016.tif 000018
【図１７】
2009238016.tif 000019